(57)【要約】【課題】ユーザーの持つクーポン券の情報を管理することで、クーポン券を有効活用できるようにする。【解決手段】画像読取部は、クーポン券を読み取ってクーポン画像を取得し、クーポン情報取得部は、クーポン画像から少なくともクーポン券の使用有効期限を含んだクーポン情報を取得する。そして、クーポン情報記憶部は、クーポン情報とログイン中のユーザーの識別情報と対応づけて記憶する。更に、クーポンリスト作成部は、クーポン情報記憶部が記憶するクーポン情報を使用有効期限が過ぎているクーポン情報と過ぎていないクーポン情報を視覚的に区別してクーポンリストを作成する。画像形成部はクーポンリストを印刷する。【選択図】図４
2020119446.tif 000002
【特許請求の範囲】
【請求項１】
ユーザー固有の識別情報に基づいてログイン処理を行うログイン処理部と、
クーポン券を読み取ってクーポン画像を取得する画像読取部と、
前記クーポン画像から、少なくとも前記クーポン券の使用有効期限を含んだクーポン情報を取得するクーポン情報取得部と、
前記クーポン情報を、ログイン中のユーザーの識別情報と対応づけて記憶するクーポン情報記憶部と、
前記クーポン情報記憶部が記憶するクーポン情報をリスト化したクーポンリストを作成するクーポンリスト作成部と、
前記クーポンリストを表示部に表示させる表示制御部とを備え、
前記クーポンリスト作成部は、使用有効期限が過ぎているクーポン情報と過ぎていないクーポン情報を視覚的に区別して前記クーポンリストを作成する画像処理装置。
【請求項２】
使用済みのクーポン券のクーポン情報を取得し、前記クーポン情報記憶部に記憶されている当該クーポン情報に使用済みである情報を追加して記憶する使用済みクーポン処理部を更に備える請求項１に記載の画像処理装置。
【請求項３】
前記クーポンリスト作成部は、前記クーポン情報を使用有効期限の順番に並べて前記クーポンリストを作成する請求項１又は２に記載の画像処理装置。
【請求項４】
ネットワークを介して携帯通信端末に前記クーポンリストを送信する通信部を更に備えた請求項１乃至請求項３の何れか一項に記載の画像処理装置。
【請求項５】
前記通信部は前記携帯通信端末から使用済みのクーポン券のクーポン情報を受信し、当該受信に応答して、前記使用済みクーポン処理部は前記クーポン情報記憶部に前記受信したクーポン情報に使用済みである情報を追加して記憶する請求項１乃至請求項４の何れか一項に記載の画像処理装置。
【請求項６】
前記請求項１乃至請求項５の何れか一項に記載の画像処理装置と、
画像を用紙に印刷する画像形成部と、
を備え、前記画像形成部は前記クーポンリスト作成部が作成したクーポンリストを用紙に印刷する画像形成装置。
【発明の詳細な説明】
【技術分野】
【０００１】
本発明は、クーポン券を読み取ってクーポン情報を取得してクーポンリストを作成する画像処理装置及び画像形成装置に関するものである。
【背景技術】
【０００２】
スーパーマーケット等で買い物をすると、次回来店時に使用できるクーポン券（割引券）を提供されるときがある。複数の店舗で様々なクーポン券を手渡されると、どのような種類のクーポン券を所持しているか分からなくなり、いつのまにか使用有効期限が過ぎてしまう等、クーポン券を無駄にしてしまう場合があった。また、特許文献１には、クーポン券に関する技術が記載されている。
【先行技術文献】
【特許文献】
【０００３】
【特許文献１】特開２００６−３５０８０４号公報
【発明の概要】
【発明が解決しようとする課題】
【０００４】
しかしながら、特許文献１にはクーポン券の管理を目的とする方法については記載されていない。このため、ユーザーの持つクーポン券の情報を管理することでクーポン券の有効活用を図ることはできない。
【０００５】
本発明は、ユーザーの持つクーポン券の情報を管理することで、クーポン券を有効活用できるようにすること目的とする。
【課題を解決するための手段】
【０００６】
本発明における画像処理装置は、ユーザー固有の識別情報に基づいてログイン処理を行うログイン処理部と、クーポン券を読み取ってクーポン画像を取得する画像読取部と、前記クーポン画像から、少なくとも前記クーポン券の使用有効期限を含んだクーポン情報を取得するクーポン情報取得部と、前記クーポン情報を、ログイン中のユーザーの識別情報と対応づけて記憶するクーポン情報記憶部と、前記クーポン情報記憶部が記憶するクーポン情報をリスト化したクーポンリストを作成するクーポンリスト作成部と、前記クーポンリストを表示部に表示させる表示制御部とを備え、前記クーポンリスト作成部は、使用有効期限が過ぎているクーポン情報と過ぎていないクーポン情報を視覚的に区別して前記クーポンリストを作成するものである。
【０００７】
また、本発明における画像形成装置は、上記画像処理装置と、画像を用紙に印刷する画像形成部と、を備え、前記画像形成部は前記クーポンリスト作成部が作成したクーポンリストを用紙に印刷するものである。
【発明の効果】
【０００８】
この発明によれば、画像読取部がクーポン券のクーポン画像を取得し、クーポン情報記憶部がクーポン情報を記憶し、更にクーポンリスト作成部がクーポンリストを作成するため、ユーザーは所有するクーポン券の種類を簡単に把握することができる。これにより、クーポンリストの視認及び印刷が可能になるため、ユーザーは、必要なタイミングで手持ちのクーポン券の種類を簡単に知ることができる。そして、クーポン券の出し忘れ等を防ぎ、クーポン券を有効活用することができる。更に、クーポンリスト作成部が、使用有効期限が過ぎているクーポン情報と過ぎていないクーポン情報を視覚的に区別してクーポンリストを作成することで、ユーザーは使用有効期限が過ぎたクーポン券を容易に知ることができる。
【図面の簡単な説明】
【０００９】
【図１】本発明の一実施形態の概要を説明するための図である。
【図２】画像形成装置の内部構成を示すブロック図である。
【図３】クーポン情報記憶部のデータ構成の一例を示した図である。
【図４】本実施の形態における処理の流れを示したフローチャートである。
【図５】表示部に表示される画面の一例である。
【図６】表示部に表示される画面の一例である。
【図７】表示部に表示される画面の一例である。
【図８】表示部に表示される画面の一例である。
【図９】表示部に表示される画面の一例である。
【図１０】表示部に表示される画面の一例である。
【図１１】表示部に表示される画面の一例である。
【図１２】表示部に表示される画面の一例である。
【図１３】携帯通信端末の表示部に表示される画面の一例である。
【発明を実施するための形態】
【００１０】
以下、本発明の一実施形態にかかる画像処理装置について図面を参照して説明する。尚、本実施の形態では、画像処理装置の一例としての画像形成装置として、スキャン、コピー、印刷等の複数の機能を持つ複合機を例に挙げて説明する。
【００１１】
図１は、本発明の一実施形態の概要を説明するための図である。スーパーマーケットで買い物をしたり、ガソリンスタンドで給油をしたりすると、次回来店時に使用できるクーポン券９１が提供されるときがある。自身が所有するクーポン券を管理するために、ユーザーは店舗に設置された専用の画像形成装置１００にユーザーＩＤとパスワードでログインし、クーポン券９１をスキャンする。画像形成装置１００は、スキャンしたクーポン券９１のクーポン情報（発行店舗名、使用有効期限等）を取得し、ログイン中のユーザーＩＤと対応づけてクーポン情報を記憶する。
【００１２】
更に、画像形成装置１００は、ログイン中のユーザーＩＤと対応づけて記憶されているクーポン情報をリスト化した画像であるクーポンリスト９２を作成する。画像形成装置１００は、クーポンリスト９２を印刷する。このとき、画像形成装置１００は、使用有効期限が切れているクーポン券と、切れていないクーポン券が簡単に視認できるように区別してクーポンリスト９２を作成する。
【００１３】
図２は、画像形成装置１００の内部構成を示すブロック図である。画像形成装置１００は、制御ユニット１、画像読取部２、画像メモリー３、記憶部４、画像形成部５、操作部６、通信部７等で構成される。
【００１４】
制御ユニット１は、プロセッサー、ＲＡＭ(Random Access Memory）及びＲＯＭ（Read Only Memory）等から構成される。プロセッサーは、ＣＰＵ（Central Processing Unit）、ＭＰＵ、又はＡＳＩＣ等である。この制御ユニット１は、プロセッサーがＲＯＭ等に記憶された制御プログラムを実行することにより、制御部１１、ログイン処理部１２、クーポン情報取得部１３、クーポンリスト作成部１４、使用済みクーポン処理部１５及び表示制御部１６として機能する。尚、制御ユニット１の上記各部は、制御プログラムに基づく動作によらず、それぞれハード回路により構成されてもよい。
【００１５】
制御部１１は、画像形成装置１００の全体的な動作制御を司る。ログイン処理部１２は、ユーザーからのログイン操作を操作部６から受け取った際に、入力されたログイン情報がログイン情報記憶部４１に記憶されているか否かを判断し、記憶されている場合は、画像形成装置１００に対するユーザーのログインを許可する。
【００１６】
クーポン情報取得部１３は、画像読取部２が読み取ったクーポン画像から、例えばＯＣＲ（Optical Character Recognition）技術を用いて文字を抽出し、発行店舗名や使用有効期限等のクーポン情報を取得する。尚、ＯＣＲを用いる以外に、各種クーポン情報が組み込まれた二次元コード等がクーポン券に印刷されている場合、クーポン情報取得部１３はその二次元コードからクーポン情報を取得するようにしてもよい。
【００１７】
クーポンリスト作成部１４は、クーポン情報記憶部４２の内容に基づいてクーポンリストを作成する。使用済みクーポン処理部１５は、使用済みクーポンの登録処理を行う。例えば、使用済みクーポン処理部１５は、使用済みのクーポン券のクーポン情報を取得し、クーポン情報記憶部４２に記憶されている当該クーポン情報に使用済みである情報を追加して記憶する。表示制御部１６は、表示部６１に対して表示制御を行う。
【００１８】
画像読取部２は、スキャナー等を備え、クーポン券９１等の原稿を読み取って画像データを取得する。画像メモリー３は、画像読取部２が読み取った画像データを一時的に記憶する。記憶部４は、例えばＨＤＤ又はＳＳＤからなり、画像形成装置１００の動作に必要なプログラムやデータを記憶する。
【００１９】
また、記憶部４は、ログイン情報記憶部４１、クーポン情報記憶部４２及びクーポン画像記憶部４３を有する。ログイン情報記憶部４１は、ユーザー固有の識別情報であるユーザーＩＤとパスワードを記憶する。
【００２０】
クーポン情報記憶部４２は、クーポン情報を記憶する。図３はクーポン情報記憶部４２のデータ構成の一例を示した図である。クーポン情報記憶部４２は、ユーザーＩＤ毎に、各クーポン情報に付与された固有のクーポン番号、クーポン券の発行店舗、有効期限、使用状況、クーポン画像のファイル名等を記憶する。
【００２１】
クーポン画像記憶部４３は、画像読取部２が読み取って取得したクーポン画像を記憶する。
【００２２】
画像形成部５は、画像を用紙に印刷する。操作部６は、ユーザーからの入力操作を受け付ける。操作部６は、ハードキー等の他に、表示部６１とタッチパネル６２を有する。表示部６１は、液晶ディスプレイ（ＬＣＤ：Liquid Crystal Display）や有機ＥＬ（ＯＬＥＤ：Organic Light-Emitting Diode）等から構成される。
【００２３】
タッチパネル６２は、表示部６１に一体的に設置されており、表示部６１の画面に対する指などの接触をその接触位置と共に検知する。指などの接触を検知すると、その接触位置の座標を示す検知信号を制御ユニット１の制御部１１等に出力する。
【００２４】
通信部７は、通信モジュール等から構成され、通信部７に接続されたネットワークＮを介して外部の携帯通信端末８と種々のデータの送受信を行う。
【００２５】
図４は、本実施の形態における処理の流れを示したフローチャートである。そして図５〜図１２は、表示部６１に表示される画面の一例である。図４〜図１２を用いて、クーポン管理処理を詳しく説明する。
【００２６】
まず、ユーザーは画像形成装置１００に対してログイン操作を行う（ステップＳ１１）。表示制御部１６は、表示部６１に図５に示すような画面を表示させる。ユーザーは、操作部６を介して入力欄２０１にユーザーＩＤ、入力欄２０２にパスワードを入力する。その後、ボタン２０３の押下に応答して、ログイン処理部１２はログイン処理を行う。
【００２７】
ログイン処理部１２は、入力されたユーザーＩＤとパスワードをログイン情報記憶部４１から検索する。ログイン処理部１２は、入力されたユーザーＩＤとパスワードがログイン情報記憶部４１から検出したら、ユーザーのログインを許可する。
【００２８】
入力されたユーザーＩＤとパスワードがログイン情報記憶部４１に記憶されていない場合、ログイン処理部１２はログインを許可しない。そして、表示制御部１６は、ユーザー登録画面（不図示）を表示部６１に表示させ、ログイン情報記憶部４１は入力されたユーザーＩＤとパスワードを新規ユーザーとして記憶する。
【００２９】
ログイン処理部１２がユーザーのログインを許可したら、表示制御部１６は、表示部６１に図６に示すような画面を表示させる。そして、操作部６はユーザーからクーポン券読み取りモードボタン２０４、クーポンリスト印刷モードボタン２０５または使用済みクーポン処理モードボタン２０６の３つのボタンの選択入力を受け付ける。
【００３０】
クーポン券読み取りモードは、画像読取部２が読み取ったクーポン画像をログイン中のユーザーが所有するクーポンとして登録するモードである。クーポンリスト印刷モードは、画像形成部５がクーポンリストを印刷するモードである。使用済みクーポン処理モードは、記憶されているクーポン情報に使用済みであることを追加するモードである。
【００３１】
ユーザーがクーポン券読み取りモードボタン２０４を押下して、操作部６にクーポン券読み取りモードの実行指示が受け付けられた場合（Ｓ１２；クーポン券読み取りモード）、表示制御部１６は図７に示すようなユーザーにクーポン券のスキャンを促すメッセージを表示部６１に表示させる（Ｓ１３）。
【００３２】
ユーザーは原稿読取台にクーポン券をセットして、読み取りスタートボタン２０７を押下して、操作部６に読み取りスタートボタン２０７に対応する指示が受け付けられると、制御部１１は画像読取部２にクーポン券を読み取らせ、画像読取部２はクーポン画像を取得する（Ｓ１４）。尚、キャンセルボタン２０８が押下されて操作部６にキャンセル指示が受け付けられたら、制御部１１はＳ１２へ処理を移行する。
【００３３】
続いて、表示制御部１６は画像読取部２が読み取ったクーポン画像を表示部６１に表示させる（Ｓ１５）。図８は、処理Ｓ１５にて表示制御部１６が表示する画面例を示した図である。
【００３４】
ユーザーは表示部６１に表示されたクーポン画像２０９を見て、クーポン券が正しく読み取られたかを確認する。ユーザーがＯＫボタン２１０を押下されて操作部６にＯＫボタン２１０に対応する指示が受け付けられたら、クーポン情報取得部１３は、例えばＯＣＲ技術を用いてクーポン画像から文字を抽出し、クーポン券の発行店舗や有効期限等のクーポン情報を取得する。そして、制御部１１は取得したクーポン情報とクーポン画像のファイル名をログイン中のユーザーＩＤと対応づけてクーポン情報記憶部４２に記憶させる（Ｓ１６）。
【００３５】
そして、制御部１１は、画像読取部２が読み取ったクーポン画像をクーポン画像記憶部４３に記憶する。尚、制御部１１は、当該クーポン画像をクーポン画像記憶部４３に記憶させるときに、ユーザーがキャンセルボタン２１１を押下して操作部６にキャンセル指示が受け付けられたら、当該クーポン画像をクーポン画像記憶部４３に記憶させることなく、処理をＳ２０へ移行させる。
【００３６】
制御部１１は、画像読取部２が読み取ったクーポン画像をクーポン画像記憶部４３に記憶させた後、又は上記キャンセルの後に、ユーザーによる操作部６の操作でクーポン管理処理を引き続き行う旨の指示が受け付けられた場合は（Ｓ２０；ＮＯ）、クーポン管理処理を続行するため、処理をＳ１２に移行させる。なお、ユーザーによる操作部６の操作でクーポン管理処理を終了する旨の指示が受け付けられた場合は（Ｓ２０；ＹＥＳ）、処理は終了する。
【００３７】
そして、処理Ｓ１２において、ユーザーがクーポンリスト印刷モードボタン２０５を押下して、操作部６にクーポンリスト印刷モードボタン２０５の実行指示が受け付けられた場合（Ｓ１２；クーポンリスト印刷モード）、クーポンリスト作成部１４は、ログイン中のユーザーＩＤと対応づけて記憶されているクーポン情報をクーポン情報記憶部４２から読み出してクーポンリストを作成し（Ｓ１７）、表示制御部１６がそのクーポンリストのプレビューを表示部６１に表示させる（Ｓ１８）。
【００３８】
図９は、クーポンリストの一例が表示されている画面例を示した図である。図９に示すように、クーポンリスト作成部１４はクーポンリストを作成する際に、例えば発行店舗毎、更に有効期限の近い順番に並べて作成する。これにより、ユーザーは所有しているクーポン券の内容を簡単に把握することができる。
【００３９】
更に、クーポンリスト作成部１４は有効期限が過ぎているクーポン画像と過ぎていないクーポン画像を簡単に識別できるようにクーポンリストを作成する。例えば、図９に示すように、クーポンリスト作成部１４は、有効期限が過ぎているクーポン項目に斜め線を追加してクーポンリストを作成する。これにより、そのクーポンは既に使用できないことをユーザーが容易に視認できる。
【００４０】
尚、有効期限が過ぎたクーポン情報及びクーポン画像については、その有効期限が規定の期間過ぎた後（例えば、有効期限が切れてから一ヶ月後）に、制御部１１がクーポン情報記憶部４２、クーポン画像記憶部４３から削除するようにしてもよい。
【００４１】
そして、ユーザーがクーポンリスト印刷ボタン２１２を押下すると、画像形成部５はクーポンリスト作成部１４が作成したクーポンリストを印刷する（Ｓ１９）。Ｓ１９において、キャンセルボタン２１３が押下されて操作部６にキャンセル指示が受け付けられると、制御部１１は当該印刷を行うことなく、処理をＳ２０に移行させる。
【００４２】
次に、使用済みクーポン処理モードについて説明する。ユーザーが使用済みのクーポン券を画像形成装置１００に登録する際、ユーザーは図１に示すクーポンリスト９２の印刷物における、使用したクーポン項目のチェックボックス９３にチェックを描き入れる。
【００４３】
そして、処理Ｓ１２においてユーザーが使用済みクーポン処理モードボタン２０６を押下して操作部６に使用済みクーポン処理モードの実行指示が受け付けられると（Ｓ１２；使用済みクーポン処理モード）、表示制御部１６は、図１０に示すように、ユーザーにクーポンリストのスキャンを促すメッセージを表示部６１に表示させる（Ｓ２１）。
【００４４】
そして、ユーザーはクーポンリスト９２の印刷物を原稿読取台にセットして、読取スタートボタン２１４を押下する。読取スタートボタン２１４の押下により操作部６に読取スタートの指示が受け付けられると、当該指示に応答して、制御部１１は、画像読取部２にクーポンリスト９２の印刷物を読み取らせ、画像読取部２はクーポンリスト画像を取得する（Ｓ２２）。尚、Ｓ２２において、読取スタートボタン２１４ではなくキャンセルボタン２１５が押下されて操作部６にキャンセル指示が受け付けられたら、制御部１１は、画像読取部２にクーポンリスト９２の印刷物を読み取らせることなく、処理をＳ２０に移行させる。
【００４５】
上記クーポンリスト９２の印刷物の読取及びクーポンリスト画像の取得の後（Ｓ２２）、表示制御部１６はクーポンリスト画像２１６（図１１）を表示部６１に表示させる（Ｓ２３）。図１１は、Ｓ２３の処理で表示される画面の一例を示した図である。
【００４６】
ユーザーは表示されたクーポンリスト画像２１６を見て、正しく読み取られたかを確認する。ユーザーがＯＫボタン２１７を押下して操作部６にＯＫボタン２１７に対応する指示が受け付けられると、使用済みクーポン処理部１５はチェックボックスにチェックが記入されているクーポン項目のクーポン番号を例えばＯＣＲ技術を用いて解析し、取得する。
【００４７】
更に、使用済みクーポン処理部１５は、クーポン情報記憶部４２から上記クーポン番号（使用済みのクーポンのクーポン番号）に該当するクーポン情報を検索し、更に、対応するファイル名を読み出して、当該ファイル名に対応するクーポン画像をクーポン画像記憶部４３から読み出す。そして、表示制御部１６は読み出したクーポン画像を表示部６１に表示させる（Ｓ２４）。図１２は、Ｓ２４の処理で表示される画面の一例を示した図である。
【００４８】
ユーザーは、表示部６１に表示されたクーポン券を使用済みとして登録する際はＯＫボタン２１９を押下する。ＯＫボタン２１９の押下に応答して操作部６にＯＫボタン２１９に対応付けられた指示が受け付けられると、使用済みクーポン処理部１５は、クーポン情報記憶部４２の情報を更新する（Ｓ２５）。つまり、使用済みクーポン処理部１５は、上記クーポン番号（使用済みのクーポンのクーポン番号）に該当するクーポン情報に対して使用済みである情報を追加する。なお、Ｓ２５においてＯＫボタン２１９ではなくユーザーがキャンセルボタン２２０を押下して操作部６にキャンセル指示が受け付けられた場合は、使用済みクーポン処理部１５は、クーポン情報記憶部４２の情報を更新せず、制御部１１は処理をＳ２０に移行させる。
【００４９】
以上、説明したように、ユーザーが持っているクーポン券を画像形成装置１００に登録し、クーポンリストが作成されることで、ユーザーは所有するクーポン券を簡単に把握することができる。
【００５０】
更に、クーポンリスト作成部１４が、有効期限が過ぎているクーポンと過ぎていないクーポンを視覚的に区別できるようにクーポンリストを作成することで、ユーザーは無効になったクーポンを容易に知ることができる。更に、有効期限が近いクーポンに気付くことができ、クーポン券を無駄なく使用することができる。
【００５１】
尚、上記実施の形態において図１〜図１２を用いて説明した構成及び処理は、本発明の一実施の形態に過ぎず、本発明をその構成及び処理に限定する趣旨のものではない。上記実施形態では、画像処理装置の一例を画像形成装置１００として説明したが、本発明に係る画像処理装置は画像形成装置に限られず、例えば情報処理装置又は画像読取装置等であっても構わない。
【００５２】
また、上記実施形態では、クーポンリスト作成部１４が作成したクーポンリストを画像形成部５が用紙に印刷するとしたが、これに代えて、制御部１１が通信部７からネットワークＮを介して、クーポンリストを、ユーザーが持っているスマートフォンやタブレット端末等の携帯通信端末に送信して、携帯通信端末においてクーポンリストが表示可能となるようにしてもよい。
【００５３】
この場合、制御部１１による制御の下、通信部７は、クーポンリストを、ネットワークＮを介して携帯通信端末８へ送信する。そして携帯通信端末８は画面にクーポンリストを表示する。図１３は、携帯通信端末８がクーポンリストを表示したときの画面例を示した図である。
【００５４】
ユーザーは、携帯通信端末８の画面に基づいて、携帯通信端末８の表示部に備えられているタッチパネルを操作して、使用済みのクーポン券を登録することができる。例えば、ユーザーが使用したクーポン券に該当するクーポン項目３０１にタッチし、クーポン項目３０１を選択する指示をタッチパネルが受け付ける。そしてユーザーが送信ボタン３０２を押下してタッチパネルに送信指示が受け付けられると、携帯通信端末８は画像形成装置１００へ使用済みクーポンのクーポン番号を送信する。
【００５５】
画像形成装置１００の通信部７が携帯通信端末８から使用済みクーポンのクーポン番号を受信すると、使用済みクーポン処理部１５は、クーポン情報記憶部４２が記憶する該当するクーポン情報の使用状況を使用済みに変更する。
【００５６】
このように、ユーザーが所有する携帯通信端末８でクーポンリストを確認でき、更に使用済みのクーポン券を登録可能とすることで、利便性を向上させることができる。
【符号の説明】
【００５７】
１００  画像形成装置
１      制御ユニット
１１    制御部
１２    ログイン処理部
１３    クーポン情報取得部
１４    クーポンリスト作成部
１５    使用済みクーポン処理部
１６    表示制御部
２      画像読取部
３      画像メモリー
４      記憶部
４１    ログイン情報記憶部
４２    クーポン情報記憶部
４３    クーポン画像記憶部
５      画像形成部
６      操作部
６１    表示部
６２    タッチパネル
７      通信部
８      携帯通信端末
【図１】
2020119446.tif 000003
【図２】
2020119446.tif 000004
【図３】
2020119446.tif 000005
【図４】
2020119446.tif 000006
【図５】
2020119446.tif 000007
【図６】
2020119446.tif 000008
【図７】
2020119446.tif 000009
【図８】
2020119446.tif 000010
【図９】
2020119446.tif 000011
【図１０】
2020119446.tif 000012
【図１１】
2020119446.tif 000013
【図１２】
2020119446.tif 000014
【図１３】
2020119446.tif 000015